(57)【要約】【課題】  大型筐体の記憶装置を収容する収容部に、小型筐体の記憶装置を装着する際に、コネクタをケーブルを用いることなく接続できると共に、小型筐体の記憶装置を当該収容部に保持することができるマウント部材を提供する。【解決手段】  マウント部材は、第２記憶装置の筐体の第２筐体特定側面とは反対側の側面である第２筐体反対側面にて第２記憶装置に固定される記憶装置固定部と、  第２記憶装置が記憶装置固定部に固定された状態で、第２記憶装置の第２特定コネクタが記憶装置収容部の収容部側コネクタに接続される位置に配置されるように、記憶装置収容部に固定される収容部固定部と、を備える。【選択図】  図１
0003166706.tif 000002
【実用新案登録請求の範囲】
【請求項１】
略直方体の第１筐体と、少なくとも前記第１筐体の特定の側面である第１筐体特定側面を基準にして所定の規格に従って配置された第１特定コネクタと、を有する第１記憶装置を収容するための収容部であって、前記第１記憶装置を収容した状態で前記第１特定コネクタと接続される位置に収容部側コネクタを有する記憶装置収容部に、前記第１筐体特定側面に対応する第２筐体特定側面を有し各辺が前記第１筐体の対応する辺より短い第２筐体と、少なくとも前記第２筐体特定側面を基準にして前記第１特定コネクタと同一の規格に従って配置された第２特定コネクタと、を有する第２記憶装置を装着するためのマウント部材であって、
前記第２筐体特定側面とは反対側の側面である第２筐体反対側面にて前記第２記憶装置に固定される記憶装置固定部と、
前記第２記憶装置が前記記憶装置固定部に固定された状態で、前記第２記憶装置の前記第２特定コネクタが前記記憶装置収容部の前記収容部側コネクタに接続される位置に配置されるように、前記記憶装置収容部に固定される収容部固定部と、
を備えるマウント部材。
【請求項２】
請求項１に記載のマウント部材であって、
前記収容部固定部は、前記第２記憶装置が前記記憶装置固定部に固定された状態で、前記第２記憶装置の前記第２筐体反対側面と平行な平行側面を有する平行側面部を含み、
前記第２記憶装置が前記記憶装置固定部に固定された状態で、前記第２記憶装置の前記第２筐体特定側面と前記平行側面との間の距離は、前記第１記憶装置の前記第１筐体特定側面と前記第１筐体特定側面とは反対側の側面である第１筐体反対側面との間の距離と略同一である、マウント部材。
【請求項３】
請求項２に記載のマウント部材であって、
前記第１記憶装置の前記第１筐体は、前記第１筐体反対側面に形成された第１ネジ穴を有し、
前記平行側面部は、前記記憶装置固定部に固定された前記第２記憶装置の前記第２特定コネクタとの位置関係が、前記第１記憶装置における前記第１特定コネクタと前記第１ネジ穴との位置関係と、略同一となる位置に配置された第２ネジ穴を有する、マウント部材。
【請求項４】
請求項１ないし請求項３のいずれかに記載のマウント部材であって、
前記第１記憶装置は、前記第１筐体の底面に形成された第３ネジ穴を有し、
前記収容部固定部は、第４ネジ穴を有する底面ネジ穴配置部であって、前記記憶装置固定部に固定された前記第２記憶装置の前記第２特定コネクタと前記第４ネジ穴との位置関係は、前記第１記憶装置における前記第１特定コネクタと前記第３ネジ穴の位置関係と略同一である、底面ネジ穴配置部を含む、マウント部材。
【請求項５】
請求項１ないし請求項４のいずれかに記載のマウント部材であって、
前記記憶装置固定部は、前記第２記憶装置の第２筐体反対側面にネジによって固定するための固定用穴を有し、
前記収容部固定部は、前記第２の記憶装置の前記第２筐体側面側で前記記憶装置収容部に固定されると共に、前記ネジを操作するためのドライバーの干渉を避けるための干渉回避部を有する、マウント部材。
【請求項６】
請求項２または請求項３に記載のマウント部材であって、
前記第１筐体は、３．５インチハードディスクドライブ用に規定された外形サイズを有し、
前記第２筐体は、２．５インチハードディスクドライブ用に規定された外形サイズを有し、
前記記憶装置固定部は、前記第２記憶装置の前記第２筐体反対側面に当接する当接面を有し、
前記当接面と前記平行側面との距離は、３０ミリメートル以上３３ミリメートル以下である、マウント部材。
【請求項７】
請求項３に記載のマウント部材であって、
前記第１筐体は、３．５インチハードディスクドライブ用に規定された外形サイズを有し、
前記第２筐体は、２．５インチハードディスクドライブ用に規定された外形サイズを有し、
前記第２ネジ穴の中心は、前記第２記憶装置が前記記憶装置固定部に固定された状態で、前記第２記憶装置の前記第２筐体の底面からの高さが６．１０ミリメートル以上６．６０ミリメートル以下である、マウント部材。
【請求項８】
略直方体の第１筐体と、少なくとも前記第１筐体の特定の側面である第１筐体特定側面を基準にして所定の規格に従って配置された第１特定コネクタと、を有する第１記憶装置を収容するための収容部であって、前記第１記憶装置を収容した状態で前記第１特定コネクタと接続される位置に配置された収容部側コネクタと、前記第１記憶装置を収容した状態で前記第１筐体の前記第１筐体特定側面に沿って配置されたガイド部と、を有する記憶装置収容部に、前記第１筐体特定側面に対応する第２筐体特定側面を有し各辺が前記第１筐体の対応する辺より短い第２筐体と、少なくとも前記第２筐体特定側面を基準にして前記第１特定コネクタと同一の規格に従って配置された第２特定コネクタと、前記第２筐体特定側面と反対側の側面である第２筐体反対側面に配置された筐体固定用の穴と、を有する第２記憶装置を装着するためのマウント部材であって、
前記第２記憶装置の前記第２筐体反対側面の前記筐体固定用の穴に嵌合する嵌合部と、
前記嵌合部が前記筐体固定用の穴に嵌合された状態で、前記第２記憶装置の前記第２特定コネクタが前記記憶装置収容部の前記収容部側コネクタに接続される位置に配置されるように、前記記憶装置収容部に固定される収容部固定部と、
を備えるマウント部材。
【考案の詳細な説明】
【技術分野】
【０００１】
本考案は、記憶装置のマウンタに関し、特に、記憶装置を収容した状態で特定コネクタと接続される位置に収容部側コネクタを有する記憶装置収容部に、当該記憶装置の筐体より小さい筐体と特定コネクタと同一規格のコネクタとを有する別の記憶装置を収容するためのマウント部材に関する。
【背景技術】
【０００２】
２．５インチのハードディスクドライブ（以下、２．５インチＨＤＤと呼ぶ。）を３．５インチのハードディスク（以下、３．５インチＨＤＤとも呼ぶ。）用の収容部（ベイ、ソケットなどと呼ばれる）に装着するためのマウント部材が知られている（非特許文献１）。
【先行技術文献】
【非特許文献】
【０００３】
【非特許文献１】ＴＫ−ＨＤ２５  製品情報、[online]、サンワサプライ株式会社、[平成22年11月25日検索]、インターネット<URL: http://www.sanwa.co.jp/product/syohin.asp?code=TK-HD25>
【０００４】
このマウント部材は、２．５インチＨＤＤの一方の側面に固定される第１の部品と、他方の側面に固定される第２の部品から構成されている。そして、第１の部品を３．５インチＨＤＤ用のソケットの一方の内壁に固定し、第２の部品を当該ソケットの他方の内壁に固定することによって、２．５インチＨＤＤを３．５インチＨＤＤ用のソケットに固定している。そして、２．５インチＨＤＤのコネクタと、電子機器本体（例えば、パーソナルコンピュータ）のコネクタとの接続は、ケーブルを用いて行われている。
【考案の概要】
【考案が解決しようとする課題】
【０００５】
しかしながら、ケーブルを用いることなく３．５インチＨＤＤを接続可能な３．５インチＨＤＤ用のソケットには、上記のマウント部材は用いることができない。これは、上記のマウント部材を用いた場合の２．５インチＨＤＤのコネクタ（例えば、ＳＡＴＡ（Serial ATA）コネクタ）の位置が、３．５インチＨＤＤ用のソケットに設けられたコネクタの位置と合致しないので、２．５インチＨＤＤのコネクタと３．５インチＨＤＤ用のソケットに設けられたコネクタとを接続できないからである。この結果、部品点数の削減、ケーブルノイズによる悪影響の回避等、ケーブルが不要な３．５インチＨＤＤ用のソケットの利点を享受することができなかった。このような課題は、２．５インチＨＤＤを３．５インチＨＤＤ用のソケットに固定するためのマウンタに限らず、記憶装置を収容した状態で記憶装置の特定コネクタと接続される位置に収容部側コネクタを有する記憶装置収容部に、当該記憶装置の筐体より小さい筐体と特定コネクタと同一規格のコネクタとを有する別の記憶装置を装着するためのマウント部材に共通する課題であった。
【０００６】
本考案の主な利点は、記憶装置を収容した状態で記憶装置の特定コネクタと接続される位置に収容部側コネクタを有する記憶装置収容部に、当該記憶装置の筐体より小さい筐体と、特定コネクタと同一規格のコネクタとを有する別の記憶装置を装着する際に、当該別の記憶装置のコネクタと記憶装置収容部のコネクタとをケーブルを用いることなく接続できると共に、当該別の記憶装置を記憶装置収容部に保持することができるマウント部材を提供することである。
【課題を解決するための手段】
【０００７】
本考案は、上述の課題の少なくとも一部を解決するためになされたものであり、以下の形態又は適用例として実現することが可能である。
【０００８】
［適用例１］
略直方体の第１筐体と、少なくとも前記第１筐体の特定の側面である第１筐体特定側面を基準にして所定の規格に従って配置された第１特定コネクタと、を有する第１記憶装置を収容するための収容部であって、前記第１記憶装置を収容した状態で前記第１特定コネクタと接続される位置に収容部側コネクタを有する記憶装置収容部に、前記第１筐体特定側面に対応する第２筐体特定側面を有し各辺が前記第１筐体の対応する辺より短い第２筐体と、少なくとも前記第２筐体特定側面を基準にして前記第１特定コネクタと同一の規格に従って配置された第２特定コネクタと、を有する第２記憶装置を装着するためのマウント部材であって、
前記第２筐体特定側面とは反対側の側面である第２筐体反対側面にて前記第２記憶装置に固定される記憶装置固定部と、
前記第２記憶装置が前記記憶装置固定部に固定された状態で、前記第２記憶装置の前記第２特定コネクタが前記記憶装置収容部の前記収容部側コネクタに接続される位置に配置されるように、前記記憶装置収容部に固定される収容部固定部と、
を備えるマウント部材。
【０００９】
上記構成のマウント部材によれば、記憶装置固定部が、第２記憶装置の第２筐体反対側面に固定される。第２筐体反対側面は、第２特定コネクタの配置の基準となる第２筐体特定側面とは反対側の側面である。そして、収容部固定部が、第２記憶装置が記憶装置固定部に固定された状態で第２記憶装置の第２特定コネクタが収容部側コネクタに接続される位置に配置されるように、記憶装置収容部に固定される。この結果、ケーブルを用いることなく、第２記憶装置の第２特定コネクタと、記憶装置収容部の収容部側コネクタとを接続できると共に、第２記憶装置を記憶装置収容部にマウント部材を介して固定することができる。
【００１０】
［適用例２］
適用例１に記載のマウント部材であって、
前記収容部固定部は、前記第２記憶装置が前記記憶装置固定部に固定された状態で、前記第２記憶装置の前記第２筐体反対側面と平行な平行側面を有する平行側面部を含み、
前記第２記憶装置が前記記憶装置固定部に固定された状態で、前記第２記憶装置の前記第２筐体特定側面と前記平行側面との間の距離は、前記第１記憶装置の前記第１筐体特定側面と前記第１筐体特定側面とは反対側の側面である第１筐体反対側面との間の距離と略同一である、マウント部材。
【００１１】
上記構成のマウント部材によれば、第２記憶装置にマウント部材を固定した状態において、第２記憶装置とマウント部材との全体の第２筐体特定側面と垂直な方向の幅が、第１記憶装置の対応する幅と略同一になる。したがって、第２記憶装置とマウント部材を、第１記憶装置を収容するための記憶装置収容部に収容した場合の当該幅方向のがたつきを抑制することができる。
【００１２】
［適用例３］
適用例２に記載のマウント部材であって、
前記第１記憶装置の前記第１筐体は、前記第１筐体反対側面に形成された第１ネジ穴を有し、
前記平行側面部は、前記記憶装置固定部に固定された前記第２記憶装置の前記第２特定コネクタとの位置関係が、前記第１記憶装置における前記第１特定コネクタと前記第１ネジ穴との位置関係と、略同一となる位置に配置された第２ネジ穴を有する、マウント部材。
【００１３】
上記構成のマウント部材によれば、第１記憶装置が収容される場合に、第１記憶装置の第１筐体反対側面に形成された第１ネジ穴に螺合されたネジによって、第１記憶装置を固定するタイプの記憶装置収容部に、第２記憶装置をマウント部材を介して固定することができる。これに加えて、ケーブルを用いることなく、第２記憶装置の第２特定コネクタと、当該記憶装置収容部の収容部側コネクタとを接続できる。
【００１４】
［適用例４］
適用例１ないし適用例３のいずれかに記載のマウント部材であって、
前記第１記憶装置は、前記第１筐体の底面に形成された第３ネジ穴を有し、
前記収容部固定部は、第４ネジ穴を有する底面ネジ穴配置部であって、前記記憶装置固定部に固定された前記第２記憶装置の前記第２特定コネクタと前記第４ネジ穴との位置関係は、前記第１記憶装置における前記第１特定コネクタと前記第３ネジ穴の位置関係と略同一である、底面ネジ穴配置部を含む、マウント部材。
【００１５】
上記構成のマウント部材によれば、第１記憶装置が収容される場合に、第１記憶装置の第１筐体の底面に形成された第３ネジ穴に螺合されたネジによって、第１記憶装置を固定するタイプの記憶装置収容部に、第２記憶装置をマウント部材を介して固定することができる。これに加えて、ケーブルを用いることなく、第２記憶装置の第２特定コネクタと、当該記憶装置収容部の収容部側コネクタとを接続できる。
【００１６】
［適用例５］
適用例１ないし適用例４のいずれかに記載のマウント部材であって、
前記記憶装置固定部は、前記第２記憶装置の第２筐体反対側面にネジによって固定するための固定用穴を有し、
前記収容部固定部は、前記第２記憶装置の前記第２筐体側面側で前記記憶装置収容部に固定される部分を有すると共に、前記ネジを操作するためのドライバーの干渉を避けるための干渉回避部を有する、マウント部材。
【００１７】
上記構成のマウント部材は、第２記憶装置の第２筐体反対側面にネジによって収容部固定部を固定する際にネジを操作するためのドライバーの干渉を避けるための干渉回避部を有するので、第２記憶装置の第２筐体反対側面にマウント部材を固定する際の作業性を向上することができる。
【００１８】
［適用例６］
適用例２または適用例３に記載のマウント部材であって、
前記第１筐体は、３．５インチハードディスクドライブ用に規定された外形サイズを有し、
前記第２筐体は、２．５インチハードディスクドライブ用に規定された外形サイズを有し、
前記記憶装置固定部は、前記第２記憶装置の前記第２筐体反対側面に当接する当接面を有し、
前記当接面と前記平行側面との距離は、３０ミリメートル以上３３ミリメートル以下である、マウント部材。
【００１９】
上記構成のマウント部材によれば、３．５インチハードディスクドライブ用に規定された外形サイズを有する記憶装置を収容するための記憶装置収容部に、２．５インチハードディスクドライブ用に規定された外形サイズを有する記憶装置を収容する際に、第２記憶装置の第２筐体特定側面と垂直な方向のがたつきを抑制できる。
【００２０】
［適用例７］
適用例３に記載のマウント部材であって、
前記第１筐体は、３．５インチハードディスクドライブ用に規定された外形サイズを有し、
前記第２筐体は、２．５インチハードディスクドライブ用に規定された外形サイズを有し、
前記第２ネジ穴の中心は、前記第２記憶装置が前記記憶装置固定部に固定された状態で、前記第２記憶装置の前記第２筐体の底面からの高さが６．１０ミリメートル以上６．６０ミリメートル以下である、マウント部材。
【００２１】
上記構成のマウント部材によれば、３．５インチハードディスクドライブ用に規定された外形サイズを有する記憶装置を収容するための記憶装置収容部に、２．５インチハードディスクドライブ用に規定された外形サイズを有する記憶装置を収容する際に、第２記憶装置を高さ方向に適切な位置に保持することができる。
【００２２】
［適用例８］
略直方体の第１筐体と、少なくとも前記第１筐体の特定の側面である第１筐体特定側面を基準にして所定の規格に従って配置された第１特定コネクタと、を有する第１記憶装置を収容するための収容部であって、前記第１記憶装置を収容した状態で前記第１特定コネクタと接続される位置に配置された収容部側コネクタと、前記第１記憶装置を収容した状態で前記第１筐体の前記第１筐体特定側面に沿って配置されたガイド部と、を有する記憶装置収容部に、前記第１筐体特定側面に対応する第２筐体特定側面を有し各辺が前記第１筐体の対応する辺より短い第２筐体と、少なくとも前記第２筐体特定側面を基準にして前記第１特定コネクタと同一の規格に従って配置された第２特定コネクタと、前記第２筐体特定側面と反対側の側面である第２筐体反対側面に配置された筐体固定用の穴と、を有する第２記憶装置を装着するためのマウント部材であって、
前記第２記憶装置の前記第２筐体反対側面の前記筐体固定用の穴に嵌合する嵌合部と、
前記嵌合部が前記筐体固定用の穴に嵌合された状態で、前記第２記憶装置の前記第２特定コネクタが前記記憶装置収容部の前記収容部側コネクタに接続される位置に配置されるように、前記記憶装置収容部に固定される収容部固定部と、
を備えるマウント部材。
【００２３】
上記構成のマウント部材によれば、嵌合部が、第２記憶装置の第２筐体反対側面に配置された筐体固定用の穴に嵌合される。第２筐体反対側面は、第２特定コネクタの配置の基準となる第２筐体特定側面とは反対側の側面である。そして、収容部固定部が、嵌合部が筐体固定用の穴に嵌合された状態で第２記憶装置の第２特定コネクタが収容部側コネクタに接続される位置に配置されるように、記憶装置収容部に固定される。このとき、第２記憶装置の第２筐体特定側面に沿って記憶装置収容部のガイド部が位置するので、第２記憶装置の第２筐体側面側への動きはガイド部で規制される。したがって、嵌合部と第２記憶装置の第２筐体反対側面に配置された筐体固定用の穴との嵌合と、収容部固定部の記憶装置収容部への固定とによって、第２記憶装置を記憶装置収容部にマウント部材を介して保持することができる。加えて、ケーブルを用いることなく、第２記憶装置の第２特定コネクタと、記憶装置収容部の収容部側コネクタとを接続できる。
【図面の簡単な説明】
【００２４】
【図１】本考案の一実施例としてのマウント部材１００の斜視図である。
【図２】本考案の一実施例としてのマウント部材１００の斜視図である。
【図３】マウント部材１００の寸法を説明するための図である。
【図４】３．５インチＨＤＤの外形の一例を示す概略図である。
【図５】２．５インチＨＤＤの外形の一例を示す概略図である。
【図６】マウント部材１００の使用態様について説明する図である。
【図７】マウント部材１００の使用態様について説明する図である。
【図８】第１変形例おけるマウント部材を説明するための図である。
【図９】第２変形例におけるマウント部材を説明するための図である。
【図１０】第３変形例におけるマウント部材を説明するための図である。
【考案を実施するための形態】
【００２５】
次に、この考案の実施の形態を実施例に基づいて図面を参照しながら説明する。
【００２６】
（１）実施例：
図１および図２は、本考案の一実施例としてのマウント部材１００の斜視図である。図３は、マウント部材１００の寸法を説明するための図である。マウント部材１００は、厚さ約１ｍｍ（ミリメートル）の鋼板を加工して作成される。ここで、図１〜図３に示すＸ軸方向をマウント部材１００の幅方向とも呼び、Ｙ軸方向をマウント部材１００の高さ方向とも呼び、Ｚ軸方向をマウント部材１００の奥行き方向とも呼ぶ。
【００２７】
マウント部材１００は、中間部１２０と、第１端部１１０と、第２端部１３０とを有している。中間部１２０は、Ｙ軸に垂直な平坦部である。第１端部１１０および第２端部１３０は、Ｘ軸に垂直な平坦部、すなわち、中間部１２０と直角をなす平坦部である。第１端部１１０と第２端部１３０は互いに平行である。第１端部１１０のＹ軸の正方向側の端は、中間部１２０のＸ軸の負方向側の端と接続している。第２端部１３０のＹ軸の正方向側の端は、中間部１２０のＸ軸の正方向側の端と接続している。中間部１２０と第１端部１１０と第２端部１３０とは、一枚の鋼板をＺ軸方向に平行な２本の曲げ線で曲げ加工することにより形成されている。中間部１２０と第１端部１１０と第２端部１３０は、Ｚ軸方向から見て略コの字型の配置となっている（図３（ｅ））。
【００２８】
第１端部１１０は、第１の記憶装置固定穴１１３が形成された第１の突出部１１１と、第２の記憶装置固定穴１１４が形成された第２の突出部１１２とを有している。記憶装置固定穴１１３、１１４の穴径φａは、３．２０ｍｍである。第２端部１３０は、第１の収容部固定用側面ネジ穴１３３と、第２の収容部固定用側面ネジ穴１３４と、第３の収容部固定用側面ネジ穴１３５とを有している。これらの収容部固定用側面ネジ穴１３３〜１３５は、「６−３２ＵＮＣ」という規格のインチネジと螺合するネジ穴である。また、第２端部１３０には、第１の記憶装置固定穴１１３とＸ軸方向に対向する位置に第１のドライバー干渉回避部１３１が形成され、第２の記憶装置固定穴１１４とＸ軸方向に対向する位置に第２のドライバー干渉回避部１３２が形成されている。
【００２９】
第２端部１３０のＹ軸の負方向側の端には、第１の収容部固定用底面ネジ穴１４１が形成された第１の底面ネジ穴配置部１４０と、第２の収容部固定用底面ネジ穴１５１が形成された第２の底面ネジ穴配置部１５０とが接続されている。第１の底面ネジ穴配置部１４０と第２の底面ネジ穴配置部１５０は、中間部１２０と平行に、第１端部１１０および第２端部１３０と垂直に配置されている。収容部固定用底面ネジ穴１４１、１５１は、「６−３２ＵＮＣ」という規格のインチネジと螺合するネジ穴である。
【００３０】
ここで、マウント部材１００の詳細について説明する前に、３．５インチＨＤＤの一例である第１記憶装置の外形、および、２．５インチＨＤＤの一例である第２記憶装置の外形について説明する。図４は、３．５インチＨＤＤの外形の一例を示す概略図である。図５は、２．５インチＨＤＤの外形の一例を示す概略図である。
【００３１】
３．５インチＨＤＤである第１記憶装置３００（図４）は、略直方体の第１筐体３５０を有している。第１筐体３５０のような略直方体について、Ｚ軸の負方向側の面を正面、Ｚ軸の正方向側の面を背面、Ｙ軸の正方向側の面を上面、Ｙ軸の負方向側の面を底面、Ｘ軸の正方向側の面を左側面、Ｘ軸の負方向側の面を右側面とも呼ぶ。また、第１筐体３５０のような略直方体について、Ｘ軸方向を幅方向とも呼び、Ｙ軸方向を高さ方向とも呼び、Ｚ軸方向を奥行き方向とも呼ぶ。
【００３２】
第１筐体３５０の奥行き方向の長さｚ１４は、１４７．００ｍｍ（最大）であり、幅方向の長さｘ８は、１０１．６０ｍｍ（±０．２５）であり、高さ方向の長さｙ７は、２６．１０ｍｍ（最大）である。ここで、（最大）は、その数値を超えないことを表しており、（±０．２５）は、公差を表している。
【００３３】
第１筐体３５０の正面と底面とが交差する部位には、ＳＡＴＡ（Serial Advanced Technology Attachment）規格に従った第１コネクタ３２０が配置されている（図４（ｂ）（ｃ））。第１コネクタ３２０の形状および第１コネクタ３２０の第１筐体３５０におけるＺ軸と垂直な方向の配置位置は、ＳＡＴＡ規格により第１筐体３５０の左側面と底面を基準にして定められている。例えば、第１筐体３５０の左側面から第１コネクタ３２０の端子板の左端までの距離ｘ１２は、１３．４３ｍｍ（ミリメートル）に定められている。また、第１筐体３５０の底面から第１コネクタ３２０の上端までの距離ｙ９は、４．００ｍｍに定められている。また、第１コネクタ３２０の２つの端子板の全体の幅ｘ１１は、３３．３９ｍｍに定められている。
【００３４】
第１筐体３５０の右側面には、第１の右側面ネジ穴３０１と、第２の右側面ネジ穴３０２と、第３の右側面ネジ穴３０３とが形成されている。第１筐体３５０の左側面には、第１の左側面ネジ穴３０４、第２の左側面ネジ穴３０５、第３の左側面ネジ穴３０６とが形成されている。これらの３つの左側面ネジ穴３０４〜３０６は、右側面の３つの右側面ネジ穴３０１〜３０３と、それぞれＹ軸方向およびＺ軸方向の位置が同じである。
【００３５】
第１筐体３５０の前面と、第１の右側面ネジ穴３０１および第１の左側面ネジ穴３０４の中心との距離ｚ１５は、２８．４９ｍｍ（±０．５）である。第１の右側面ネジ穴３０１の中心と第２の右側面ネジ穴３０２の中心との距離、および、第１の左側面ネジ穴３０４の中心と第２の左側面ネジ穴３０５の中心との距離ｚ１６は、４１．６１ｍｍ（±０．２５）である。第１の右側面ネジ穴３０１の中心と第３の右側面ネジ穴３０３の中心との距離、および、第１の左側面ネジ穴３０４の中心と第３の左側面ネジ穴３０６の中心との距離ｚ１７は、１０１．６０ｍｍ（±０．２５）である。第１筐体３５０の底面とこれらの側面ネジ穴３０１〜３０６の中心との距離ｙ８は、６．３５ｍｍ（±０．２５）である。
【００３６】
第１筐体３５０の底面には、第１の底面ネジ穴３０７と、第２の底面ネジ穴３０８と、第３の底面ネジ穴３０９と、第４の底面ネジ穴３１０とが形成されている。第１の底面ネジ穴３０７と第２の底面ネジ穴３０８は、第１筐体３５０の底面と右側面とが交差する辺に沿って配置されている。第３の底面ネジ穴３０９と第４の底面ネジ穴３１０は、第１筐体３５０の底面と左側面とが交差する辺に沿って配置されている。
【００３７】
第１筐体３５０の前面と、第１の底面ネジ穴３０７および第３の底面ネジ穴３０９の中心との距離ｚ１８は、４１．２８ｍｍ（±０．５）である。第１の底面ネジ穴３０７の中心と第２の底面ネジ穴３０８の中心との距離、および、第３の底面ネジ穴３０９の中心と第４の底面ネジ穴３１０の中心との距離ｚ１９は、４４．４５ｍｍ（±０．２５ｍｍ）である。第１筐体３５０の右側面と、第１の底面ネジ穴３０７の中心および第２の底面ネジ穴３０８の中心との距離ｘ９は、３．１８ｍｍ（±０．２５）である。第１筐体３５０の左側面と、第３の底面ネジ穴３０９の中心および第４の底面ネジ穴３１０の中心との距離ｘ１０は、３．１８ｍｍ（±０．２５）である。
【００３８】
第１筐体３５０に配置されたこれらのネジ穴３０１〜３１０は、「６−３２ＵＮＣ」という規格のインチネジと螺合するネジ穴である。これらのネジ穴３０１〜３１０は、一般的に、第１記憶装置３００を３．５インチ用の記憶装置収容部（ソケット、ベイと呼ばれる。）に固定するために用いられる。
【００３９】
２．５インチＨＤＤである第２記憶装置２００（図５）は、略直方体の第２筐体２５０を有している。第２筐体２５０の奥行き方向の長さｚ９は、１００．２０ｍｍ（±０．２５）であり、幅方向の長さｘ５は、６９．８５ｍｍ（±０．２５）であり、高さ方向の長さｙ４は、９．７０ｍｍ（最大）である。このように、第２筐体２５０の各辺は、第１筐体３５０の対応する辺より短い。つまり、第２筐体２５０は、高さ、幅、奥行きともに、第１筐体３５０より小さい筐体である。
【００４０】
第２筐体２５０の正面と底面とが交差する部位には、ＳＡＴＡ規格に従った第２コネクタ２２０が配置されている（図５（ｂ）（ｃ））。第２コネクタ２２０の形状および配置位置は、上述した第１筐体３５０の第１コネクタ３２０と同一の規格に従っている。すなわち、第２コネクタ２２０の形状および第２コネクタ２２０の第２筐体２５０におけるＺ軸と垂直な方向の配置位置は、ＳＡＴＡ規格により第２筐体２５０の左側面と底面を基準にして定められている。したがって、第２筐体２５０の左側面および底面を基準として見た第２コネクタ２２０の位置および形状は、第１筐体３５０の左側面および底面を基準としてみた第１コネクタ３２０の位置および形状と同じである。例えば、第２筐体２５０の左側面から第２コネクタ２２０の端子板の左端までの距離ｘ４は、１３．４３ｍｍに定められている。また、第２筐体２５０の底面から第２コネクタ２２０の上端までの距離ｙ６は、４．００ｍｍに定められている。また、第２コネクタ２２０の２つの端子板の全体の幅ｘ３は、３３．３９ｍｍに定められている。
【００４１】
第２筐体２５０の右側面には、第４の右側面ネジ穴２０１と、第５の右側面ネジ穴２０２とが形成されている。第２筐体２５０の左側面には、第４の左側面ネジ穴２０３、第５の左側面ネジ穴２０４とが形成されている。左側面の２つの左側面ネジ穴２０３、２０４は、右側面の２つの右側面ネジ穴２０１、２０２と、それぞれ、Ｙ軸方向およびＺ軸方向の位置が同じである。
【００４２】
第２筐体２５０の前面と、第４の右側面ネジ穴２０１および第４の左側面ネジ穴２０３の中心との距離ｚ１０は、１４．３０ｍｍ（±０．２５）である。第４の右側面ネジ穴２０１の中心と第５の右側面ネジ穴２０２の中心との距離、および、第４の左側面ネジ穴２０３の中心と第５の左側面ネジ穴２０４の中心との距離ｚ１１は、７６．６０ｍｍ（±０．２５）である。第２筐体２５０の底面とこれらの側面ネジ穴２０１〜２０４の中心との距離ｙ５は、３．００ｍｍ（±０．２５）である。
【００４３】
第２筐体２５０の底面には、第５の底面ネジ穴２０５と、第６の底面ネジ穴２０６と、第７の底面ネジ穴２０７と、第８の底面ネジ穴２０８とが形成されている。第５の底面ネジ穴２０５と第６の底面ネジ穴２０６は、第２筐体２５０の底面と右側面とが交差する辺に沿って配置されている。第７の底面ネジ穴２０７と第８の底面ネジ穴２０８は、第２筐体２５０の底面と左側面とが交差する辺に沿って配置されている。
【００４４】
第２筐体２５０の前面と、第５の底面ネジ穴２０５および第７の底面ネジ穴２０７の中心との距離ｚ１２は、１４．３０ｍｍ（±０．２５）である。第５の底面ネジ穴２０５の中心と第６の底面ネジ穴２０６の中心との距離、および、第７の底面ネジ穴２０７の中心と第８の底面ネジ穴２０８の中心との距離ｚ１３は、７６．６０ｍｍ（±０．２５ｍｍ）である。第２筐体２５０の右側面と、第５の底面ネジ穴２０５の中心および第６の底面ネジ穴２０６の中心との距離ｘ６は、４．０７ｍｍ（±０．２５）である。第２筐体２５０の左側面と、第７の底面ネジ穴２０７の中心および第８の底面ネジ穴２０８の中心との距離ｘ７は、４．０７ｍｍ（±０．２５）である。
【００４５】
第２筐体２５０に配置されたこれらのネジ穴２０１〜２０８は、径２ｍｍのミリネジ（Ｍ２）と螺合するネジ穴である。これらのネジ穴２０１〜２０８は、一般的に、第２記憶装置２００を２．５インチ用の記憶装置収容部（ノートパソコン内部のハードディスクソケットなど）に固定するために用いられる。
【００４６】
図１〜３に加えて、図６、図７を参照して、マウント部材１００について説明する。図６、図７は、マウント部材１００の使用態様について説明する図である。マウント部材１００は、第１記憶装置３００のような３．５インチＨＤＤを収容するための収容部に、第２記憶装置２００のような２．５インチＨＤＤを装着するために用いられる。
【００４７】
マウント部材１００が使用されるとき、マウント部材１００の第１端部１１０は、図６（ａ）に示すように、第１端部１１０の外側の面が第２記憶装置２００の右側面に当接した状態でネジ６０１、６０２によって第２記憶装置２００に固定される。ネジ６０１は、第１端部１１０に形成された第１の記憶装置固定穴１１３を通され、第２記憶装置２００の第４の右側面ネジ穴２０１に螺合される。第２端部１３０には、第１のドライバー干渉回避部１３１が設けられているので、ネジ６０１を螺合するとき、ドライバーが第２端部１３０に干渉することはない。ネジ６０２は、第１端部１１０に形成された第２の記憶装置固定穴１１４に通され、第２記憶装置２００の第５の右側面ネジ穴２０２に螺合される。第２端部１３０には、第２のドライバー干渉回避部１３２が設けられているので、ネジ６０１を螺合するとき、ドライバーが第２端部１３０に干渉することはない。
【００４８】
マウント部材１００が第２記憶装置２００に固定された状態で、第２記憶装置２００の側面と、第２端部１３０のＸ軸の正方向側の面は平行であり、第２記憶装置２００の底面と、第１の底面ネジ穴配置部１４０および第２の底面ネジ穴配置部１５０のＹ軸の負方向側の面は平行である。そして、第２記憶装置２００の左側面と第２端部１３０のＸ軸の正方向側の面との距離、すなわち、マウント部材１００と第２記憶装置２００との全体の幅方向（Ｘ軸方向）の長さは、第１記憶装置３００の幅方向の長さと略同一になる。
【００４９】
マウント部材１００が第２記憶装置２００に固定された状態で、図６に示すように、第２記憶装置２００の左側面、底面、前面を基準としたマウント部材１００の第１の収容部固定用側面ネジ穴１３３の位置は、第１記憶装置３００の左側面、底面、前面を基準とした第１記憶装置３００の第１の右側面ネジ穴３０１の位置と同じになる。同様に、マウント部材１００が第２記憶装置２００に固定された状態で、第２記憶装置２００の左側面、底面、前面を基準としたマウント部材１００の第２の収容部固定用側面ネジ穴１３４の位置は、第１記憶装置３００の左側面、底面、前面を基準とした第１記憶装置３００の第２の右側面ネジ穴３０２の位置と同じになる。また、マウント部材１００が第２記憶装置２００に固定された状態で、第２記憶装置２００の左側面、底面、前面を基準としたマウント部材１００の第３の収容部固定用側面ネジ穴１３５の位置は、第１記憶装置３００の左側面、底面、前面を基準とした第１記憶装置３００の第３の右側面ネジ穴３０３の位置と同じになる。
【００５０】
上述したように、第２記憶装置２００の前面に配置された第２コネクタ２２０の第２記憶装置２００の左側面、底面を基準にした位置は、第１記憶装置３００の前面に配置された第１コネクタ３２０の第１記憶装置３００の左側面、底面を基準にした位置と同じである。したがって、マウント部材１００が第２記憶装置２００に固定された状態で、第２記憶装置２００の第２コネクタ２２０から見たマウント部材１００の３つの収容部固定用側面ネジ穴１３３〜１３５の位置は、第１記憶装置３００の第１コネクタ３２０から見た第１記憶装置３００の３つの右側面ネジ穴３０１〜３０３の位置とそれぞれ同じになる。
【００５１】
また、図６に示すように、マウント部材１００が第２記憶装置２００に固定された状態で、第２記憶装置２００の左側面、底面、前面を基準としたマウント部材１００の第１の収容部固定用底面ネジ穴１４１の位置は、第１記憶装置３００の左側面、底面、前面を基準とした第１記憶装置３００の第１の底面ネジ穴３０７の位置と同じになる。同様に、マウント部材１００が第２記憶装置２００に固定された状態で、第２記憶装置２００の左側面、底面、前面を基準としたマウント部材１００の第２の収容部固定用底面ネジ穴１５１の位置は、第１記憶装置３００の左側面、底面、前面を基準とした第１記憶装置３００の第２の底面ネジ穴３０８の位置と同じになる。したがって、マウント部材１００が第２記憶装置２００に固定された状態で、第２記憶装置２００の第２コネクタ２２０から見たマウント部材１００の２つの第１の収容部固定用底面ネジ穴１４１、１５１の位置は、第１記憶装置３００の第１コネクタ３２０から見た第１記憶装置３００の３つの左側面ネジ穴３０４〜３０６の位置とそれぞれ同じになる。
【００５２】
図７に示すように、マウント部材１００が第２記憶装置２００に固定された状態で、マウント部材１００と第２記憶装置２００との全体は、第１記憶装置３００を収容するための収容部５００（図７）に収容される。収容部５００は、底板部５１０と、左ガイド部５２０と、右ガイド部５３０と、収容部側コネクタ５５０とを備えている。収容部側コネクタ５５０は、第１コネクタ３２０や第２コネクタ２２０と接続可能なＳＡＴＡ規格に従ったコネクタである。底板部５１０と左ガイド部５２０と右ガイド部５３０との間の空間に、図７のＺ軸の正方向側から負方向側に向かって第１記憶装置３００が挿入可能になっている。そして、第１記憶装置３００が収容部５００の固定位置にまで挿入された状態で、第１記憶装置３００の第１コネクタ３２０と接続される位置に、収容部側コネクタ５５０は配置されている。
【００５３】
左ガイド部５２０には、第１記憶装置３００を固定するための固定用穴５２１、５２２が形成されている。固定用穴５２１、５２２は、第１記憶装置３００が収容部５００の固定位置にまで挿入された状態で、第１記憶装置３００の左側面に形成された第２の左側面ネジ穴３０５、第３の左側面ネジ穴３０６とそれぞれ重なる位置に形成されている。同様に、右ガイド部５３０には、第１記憶装置３００を固定するための固定用穴５３１、５３２が形成されている。固定用穴５３１、５３２は、第１記憶装置３００が収容部５００の固定位置にまで挿入された状態で、第１記憶装置３００の右側面に形成された第２の右側面ネジ穴３０２、第３の右側面ネジ穴３０３とそれぞれ重なる位置に形成されている。これらの固定用穴５２１、５２２、５３１、５３２に、固定用のネジを通した上で、第１記憶装置３００の対応するネジ穴に当該ネジを螺合させることにより、第１記憶装置３００は収容部５００に固定される。
【００５４】
このような収容部５００に、第１記憶装置３００に代えて、マウント部材１００が固定された第２記憶装置２００を装着する場合、マウント部材１００と第２記憶装置２００との全体が、Ｚ軸の負方向側から挿入される。そして、突き当たる位置まで挿入されると、第２記憶装置２００の第２コネクタ２２０は、収容部５００の収容部側コネクタ５５０に接続される。第２記憶装置２００の第２コネクタ２２０が収容部５００の収容部側コネクタ５５０に接続された状態で、マウント部材１００の第２の収容部固定用側面ネジ穴１３４および第３の収容部固定用側面ネジ穴１３５は、右ガイド部５３０の固定用穴５３１および固定用穴５３２とそれぞれ重なるように位置する。このため、固定用のネジ６０３、６０４を用いて、収容部５００にマウント部材１００を固定することができる（図７）。固定用のネジ６０３、６０４を用いて、収容部５００にマウント部材１００を固定すれば、第２記憶装置２００とマウント部材１００との全体は、固定用のネジ６０３、６０４による固定と、第２コネクタ２２０と収容部側コネクタ５５０との接続による固定とによって、収容部５００に固定されることになる。
【００５５】
なお、マウント部材１００を用いれば、図７に示す収容部５００のように、側面において第１記憶装置３００を固定するタイプの収容部に限らず、底面において第１記憶装置３００を固定するタイプの収容部にも第２記憶装置２００を固定することができる。この場合には、第１記憶装置３００を固定する場合に第１記憶装置３００の第１の底面ネジ穴３０７および第２の底面ネジ穴３０８に螺合されるネジを、マウント部材１００の第１の収容部固定用底面ネジ穴１４１、第２の収容部固定用底面ネジ穴１５１に螺合することによって、第２記憶装置２００を収容部に固定すれば良い。
【００５６】
このようなマウント部材１００の具体的な寸法について図３を参照しながら述べる。マウント部材１００の奥行き方向の大きさｚ１は、１３５．００ｍｍである。マウント部材１００の幅方向の長さｘ１は、３１．４０ｍｍ（±０．２５）である。マウント部材１００の高さ方向の長さｙ３は、１３．００ｍｍ（±０．２５）である。マウント部材１００の幅方向の長さｘ１を、この値にすることにより、マウント部材１００が第２記憶装置２００に固定された状態で、マウント部材１００と第２記憶装置２００との全体の幅方向の長さが、第１記憶装置３００の幅方向の長さと略同一となる。
【００５７】
マウント部材１００のＺ軸の負方向側の端から第１の収容部固定用側面ネジ穴１３３の中心までの距離ｚ２は、２８．５０ｍｍ（±０．２５）である。第１の収容部固定用側面ネジ穴１３３の中心から第２の収容部固定用側面ネジ穴１３４の中心までの距離ｚ３は、４１．６０ｍｍ（±０．２５）である。第２の収容部固定用側面ネジ穴１３４の中心から第３の収容部固定用側面ネジ穴１３５の中心までの距離ｚ４は、６０．００ｍｍ（±０．２５）である。マウント部材１００のＹ軸の負方向側の端から３つの収容部固定用側面ネジ穴１３３〜１３５の中心までの距離ｙ１は、６．３５ｍｍ（±０．２５）である。
【００５８】
マウント部材１００のＺ軸の負方向側の端から第１の収容部固定用底面ネジ穴１４１の中心までの距離ｚ５は、４１．２８ｍｍ（±０．２５）である。第１の収容部固定用底面ネジ穴１４１の中心から第２の収容部固定用底面ネジ穴１５１の中心までの距離ｚ６は、４４．４５ｍｍ（±０．２５）である。マウント部材１００のＸ軸の正方向側の端から第１の収容部固定用底面ネジ穴１４１および第２の収容部固定用底面ネジ穴１５１の中心までの距離ｘ２は、３．１８（±０．２５）である。
【００５９】
マウント部材１００のＺ軸の負方向側の端から第１の記憶装置固定穴１１３の中心までの距離ｚ７は、１４．００ｍｍ（±０．２５）である。マウント部材１００の第１の記憶装置固定穴１１３の中心から第２の記憶装置固定穴１１４の中心までの距離ｚ８は、７６．６０ｍｍ（±０．２５）である。マウント部材１００のＹ軸の負方向側の端から第１の記憶装置固定穴１１３および第２の記憶装置固定穴１１４の中心までの距離ｙ２は、３．００ｍｍ（±０．２５）である。
【００６０】
以上の説明から解るように、実施例におけるマウント部材１００の第１端部１１０が実用新案登録請求の範囲における記憶装置固定部に対応する。実施例におけるマウント部材１００の第２端部１３０、第１の底面ネジ穴配置部１４０、および、第２の底面ネジ穴配置部１５０が実用新案登録請求の範囲における収容部固定部に対応する。また、実施例における第１筐体３５０の左側面が実用新案登録請求の範囲における第１筐体特定側面に、実施例における第２筐体２５０の左側面が実用新案登録請求の範囲における第２筐体特定側面に、実施例における第２筐体２５０の右側面が実用新案登録請求の範囲における第２筐体反対側面に、それぞれ対応する。
【００６１】
以上説明したマウント部材１００によれば、第１端部１１０が、２．５インチＨＤＤである第２記憶装置２００の右側面に固定される。そして、第２端部１３０が、第２記憶装置２００が第１端部１１０に固定された状態で第２記憶装置２００の第２コネクタ２２０が収容部側コネクタ５５０に接続される位置に配置されるように、３．５インチＨＤＤを収容するための収容部５００に固定される。この結果、ケーブルを用いることなく、第２記憶装置２００の第２コネクタ２２０と、収容部５００の収容部側コネクタ５５０とを接続できると共に、第２記憶装置２００を収容部５００にマウント部材１００を介して固定することができる。
【００６２】
さらに、マウント部材１００の幅方向の長さｘ１を、３１．１５ｍｍ以上３１．６５ｍｍ以下（公差を含む）としている。その結果、第２記憶装置２００にマウント部材１００を固定した状態において、第２記憶装置２００とマウント部材１００との全体の幅方向の長さ（第２筐体２５０の側面と垂直な方向の長さ）が、第１記憶装置３００の幅方向の長さと略同一になる。したがって、第２記憶装置２００とマウント部材１００を、第１記憶装置３００を収容するための収容部５００に収容した場合の幅方向のがたつきを抑制することができる。なお、マウント部材１００の幅方向の長さｘ１は、実施例のとおり３１．１５ｍｍ以上３１．６５ｍｍ以下であることが好ましいが、３０ｍｍ以上３３ｍｍ以下であっても良い。この範囲内であれば、上述した幅方向のがたつきを抑制することができる。
【００６３】
さらに、第２端部１３０の外側の面には、第１端部１１０に固定された第２記憶装置２００の第２コネクタ２２０との位置関係が、第１記憶装置３００における第１コネクタ３２０と右側面ネジ穴３０１〜３０３との位置関係と、略同一となる位置に配置された収容部固定用側面ネジ穴１３３〜１３５を有する。この結果、第１記憶装置３００が収容される場合に、第１記憶装置３００の右側面に形成されたネジ穴に螺合されたネジによって、第１記憶装置３００を固定するタイプの収容部５００に、マウント部材１００を介して第２記憶装置２００を固定することができる。
【００６４】
さらに、マウント部材１００は、第１の収容部固定用底面ネジ穴１４１および第２の収容部固定用底面ネジ穴１５１を備えている。第１端部１１０に固定された第２記憶装置２００の第２コネクタ２２０と収容部固定用底面ネジ穴１４１、１５１との位置関係は、第１記憶装置３００における第１コネクタ３２０と底面ネジ穴３０７、３０８の位置関係と略同一である。この結果、第１記憶装置３００が収容される場合に、第１記憶装置３００の底面に形成されたネジ穴に螺合されたネジによって、第１記憶装置３００を固定するタイプの収容部に、マウント部材１００を介して第２記憶装置２００を固定することができる。
【００６５】
さらに、マウント部材１００は、第１端部１１０を第２記憶装置２００にネジで固定する際に、ネジを操作するためのドライバーの干渉を避けるための第１のドライバー干渉回避部１３１、第２のドライバー干渉回避部１３２を有する。したがって、第２記憶装置２００にマウント部材１００を固定する際の作業性を向上することができる。
【００６６】
さらに、マウント部材１００の収容部固定用側面ネジ穴１３３〜１３５の中心は、前記第２記憶装置が前記記憶装置固定部に固定された状態で、第２記憶装置２００の底面からの高さ（図３（ｂ）のｙ１に相当）が６．１０ｍｍ以上６．６０ｍｍ以下（公差を含む。）である。この結果、第１記憶装置３００を収容するための収容部５００に、第２記憶装置２００を収容する際に、第２記憶装置２００を高さ方向に適切な位置に保持することができる。
【００６７】
（２）変形例：
なお、上記各実施例における構成要素の中の、独立クレームでクレームされた要素以外の要素は、付加的な要素であり、適宜省略可能である。また、この考案は上記の実施例や実施形態に限られるものではなく、その要旨を逸脱しない範囲において種々の態様において実施することが可能であり、例えば次のような変形も可能である。
【００６８】
・第１変形例：
上記実施例のマウント部材１００では、側面側からネジで固定するための収容部固定用側面ネジ穴１３３〜１３５と、底面側からネジで固定するための収容部固定用底面ネジ穴１４１、１５１の両方を備えるが、片方だけでも良い。例えば、マウント部材１００において、第１の底面ネジ穴配置部１４０および第２の底面ネジ穴配置部１５０は無くても良い。
【００６９】
図８を参照して、底面側からネジで固定するための収容部固定用底面ネジ穴を有し、側面側からネジで固定するための収容部固定用側面ネジ穴を有しないマウント部材の一例を説明する。図８は、第１変形例おけるマウント部材を説明するための図である。第１変形例におけるマウント部材１００ａは、第２記憶装置２００に固定される記憶装置固定部としての第１板状部１１０ａと、第１記憶装置３００を収容するための収容部（図示省略）に固定される収容部固定部としての第２板状部１２０ａとを有している。
【００７０】
第１板状部１１０ａには、２つの記憶装置固定穴１１３ａ、１１４ａが形成されている。２つの記憶装置固定穴１１３ａ、１１４ａは、実施例におけるマウント部材１００の記憶装置固定穴１１３、１１４と同様に、ネジを用いて、第２記憶装置２００に固定されるために用いられる。マウント部材１００ａが第２記憶装置２００に固定された状態で、第２板状部１２０ａのＹ軸の負方向側の面は、第２記憶装置２００の底面と同一平面に位置する。
【００７１】
第２板状部１２０ａには、収容部固定用底面ネジ穴１４１ａ、１５１ａが形成されている。マウント部材１００ａが第２記憶装置２００に固定された状態での収容部固定用底面ネジ穴１４１ａ、１５１ａの位置は、実施例のマウント部材１００が第２記憶装置２００に固定された状態での収容部固定用底面ネジ穴１４１、１５１の位置と同じである。
【００７２】
以上説明したマウント部材１００ａによれば、第１記憶装置３００が収容される場合に、第１記憶装置３００の底面に形成されたネジ穴に螺合されたネジによって、第１記憶装置３００を固定するタイプの収容部に、マウント部材１００ａを介して第２記憶装置２００を固定することができる。また、マウント部材１００ａは、実施例のマウント部材１００と比較して簡単な構成で実現できる利点がある。
【００７３】
・第２変形例：
実施例のマウント部材１００は、鋼板を加工して作成されているが、これに限られない。図９は、第２変形例におけるマウント部材を説明するための図である。このマウント部材１００ｂは、略直方体の樹脂製のブロック部材を用いて作成されている。このマウント部材１００ｂの幅方向、高さ方向、奥行き方向の長さは、実施例におけるマウント部材１００の幅方向、高さ方向、奥行き方向の長さと同じである。また、マウント部材１００ｂには、実施例のマウント部材１００における収容部固定用側面ネジ穴１３３〜１３５、収容部固定用底面ネジ穴１４１、１５１と同じ位置に、収容部固定用側面ネジ穴１３３ｂ〜１３５ｂ、収容部固定用底面ネジ穴１４１ｂ、１５１ｂが形成されている。
【００７４】
さらに、マウント部材１００ｂには、Ｘ軸方向の負方向側の面である記憶装置固定面１１０ｂに開口する記憶装置固定穴１１３ｂ、１１４ｂと、記憶装置固定面１１０ｂと反対側の面（Ｘ軸の正方向側の面）に開口し、記憶装置固定穴１１３ｂ、１１４ｂと連通する角柱形状のドライバー干渉回避部１１６ｂ、１１７ｂが形成されている。これにより、ネジ６０５、６０６を用いて、マウント部材１００ｂを第２記憶装置２００に固定することができるように構成されている。
【００７５】
以上説明した第２変形例におけるマウント部材１００ｂによれば、実施例におけるマウント部材１００と同様の作用・効果を奏する。
【００７６】
・第３変形例：
実施例のマウント部材１００は、ネジによって第２記憶装置２００に固定されているが、これに限られない。図１０は、第３変形例におけるマウント部材を説明するための図である。このマウント部材１００ｃは、第２変形例におけるマウント部材１００ｂと同じ大きさのブロック部材を用いて作成されている。また、マウント部材１００ｃには、第２変形例のマウント部材１００ｂにおける収容部固定用側面ネジ穴１３３ｂ〜１３５ｂ、収容部固定用底面ネジ穴１４１ｂ、１５１ｂと同じ位置に、収容部固定用側面ネジ穴１３３ｃ〜１３５ｃ、収容部固定用底面ネジ穴１４１ｃ、１５１ｃが形成されている。
【００７７】
さらに、マウント部材１００ｃには、Ｘ軸方向の負方向側の面である記憶装置固定面１１０ｃに略円柱状の突起１１３ｃ、１１４ｃが形成されている。突起１１３ｃは、第２記憶装置２００の右側面に形成された第４の右側面ネジ穴２０１に嵌合する大きさ・位置に形成されている。突起１１４ｃは、第２記憶装置２００の右側面に形成された第５の右側面ネジ穴２０２に嵌合する大きさ・位置に形成されている。
【００７８】
以上説明した第３変形例におけるマウント部材１００ｃによれば、実施例におけるマウント部材１００と同様の作用・効果を奏する。例えば、上述した収容部５００に装着される場合を考えると、嵌合部としての突起１１３ｃ、１１４ｃが、第２記憶装置２００に配置された筐体固定用の穴である右側面ネジ穴２０１、２０２に嵌合される。そして、収容部固定部としての側面１３０ｃが、ネジにより収容部５００に固定される。このとき、第２記憶装置２００の左側面に沿って左ガイド部５２０が位置するので、第２記憶装置２００の左側面側への動きは左ガイド部５２０で規制される。したがって、突起１１３ｃ、１１４ｃが右側面ネジ穴２０１、２０２から抜けてしまうことは抑制される。この結果、突起１１３ｃ、１１４ｃと右側面ネジ穴２０１、２０２との嵌合と、ネジによるマウント部材１００ｂと収容部５００との固定とによって、第２記憶装置２００を収容部５００に固定することができる。
【００７９】
・第４変形例：
上記実施例では、ＳＡＴＡコネクタを有する３．５インチＨＤＤを収容するための収容部５００に、ＳＡＴＡコネクタを有する２．５インチＨＤＤを装着するためのマウント部材に本考案を適用したが、これに限られない。ＳＡＴＡ以外の特定の規格に従ったコネクタを有する３．５インチＨＤＤを収容する収容部に、当該特定の規格と同一の規格に従ったコネクタを有する２．５インチＨＤＤを装着するためのマウント部材に本考案を適用し得る。また、ＨＤＤに限らず、ＳＳＤ（Solid State Drive）などの他の記憶装置を装着するためにマウント部材１００を用いることもできる。また、３．５インチ用の筐体３５０や、２．５インチ等の筐体２５０は、一例であり、所定のサイズの筐体の記憶装置を装着するための収容部に、当該サイズより小さいサイズの筐体の記憶装置を装着するためのマウント部材に本考案を適用し得る。一般的に言えば、略直方体の第１筐体と、少なくとも第１筐体の特定の側面である第１筐体特定側面を基準にして所定の規格に従って配置された第１特定コネクタと、を有する第１記憶装置を収容するための収容部であって、第１記憶装置を収容した状態で第１特定コネクタと接続される位置に収容部側コネクタを有する記憶装置収容部に、第１筐体特定側面に対応する第２筐体特定側面を有し各辺が前記第１筐体の対応する辺より短い第２筐体と、少なくとも第２筐体特定側面を基準にして第１特定コネクタと同一の規格に従って配置された第２特定コネクタと、を有する第２記憶装置を装着するためのマウント部材に本考案を適用することができる。
【符号の説明】
【００８０】
１００、１００ａ、１００ｂ、１００ｃ...マウント部材
１１０...第１端部
１１０ａ...第１板状部
１１０ｂ...記憶装置固定面
１１０ｃ...記憶装置固定面
１１１...第１の突出部
１１２...第２の突出部
１１３、１１３ａ、１１３ｂ、１１４、１１４ａ、１１４ｂ...記憶装置固定穴
１１３ｃ、１１４ｃ...突起
１１６ｂ、１１７ｂ...ドライバー干渉回避部
１２０...中間部
１２０ａ...第２板状部
１３０...第２端部
１３１、１３２...ドライバー干渉回避部
１３３〜１３５、１３３ｂ〜１３５ｂ、１３３ｃ〜１３５ｃ...第１の収容部固定用側面ネジ穴
１４０、１５０...第１の底面ネジ穴配置部
１４１、１４１ａ、１４１ｂ、１４１ｃ、１５１、１５１ａ、１５１ｂ、１５１ｃ...収容部固定用底面ネジ穴
２０１〜２０８、３０１〜３１０...ネジ穴
２２０、３２０...コネクタ
２５０、３５０...筐体
２００、３００...記憶装置
５００...収容部
５１０...底板部
５２０...左ガイド部
５３０...右ガイド部
５５０...収容部側コネクタ
【図１】
0003166706.tif 000003
【図２】
0003166706.tif 000004
【図３】
0003166706.tif 000005
【図４】
0003166706.tif 000006
【図５】
0003166706.tif 000007
【図６】
0003166706.tif 000008
【図７】
0003166706.tif 000009
【図８】
0003166706.tif 000010
【図９】
0003166706.tif 000011
【図１０】
0003166706.tif 000012